(57)【要約】      （修正有）【課題】一枚の折り紙用の用紙を用いて各種の立体的模型を形成することが出来る特殊折り紙用紙を提供する。【解決手段】立体的模型を紙により形成するために使用する特殊な折り紙用用紙であって、一枚の紙の表裏に全く同一の図形を背中合わせの同一位置に形成するものからなり、図形は、中心点より放射状に全周に対して広がる放射線群１と、前記中心点を中心として同一間隔で広がる同心円群２と、前記中心点を縦横に直角に通る線と夫々同一間隔で平行に形成される縦横線群３とから形成される。その図形を折り曲げ又は切り込みを線に沿って入れることにより所望の模型を形成することが出来る。【選択図】図１
0003193913.tif 000002
【実用新案登録請求の範囲】
【請求項１】
立体的模型を紙により形成するために使用する特殊な折り紙用用紙であって、該用紙は、一枚の紙の表裏に全く同一の図形を背中合わせの同一位置に形成するものからなり、前記図形は、中心点より放射状に全周に対して広がる放射線群と、前記中心点を中心として同一間隔で広がる同心円群と、前記中心点を縦横に直角に通る線と夫々同一間隔で平行に形成される縦横線群とから形成されることを特徴とする特殊折り紙用紙。
【請求項２】
前記用紙の材質は任意のものでよく、その１つとしてセラミック用紙が使用されることを特徴とする請求項１に記載の特殊折り紙用紙。
【請求項３】
前記放射線群は３６等分のものからなり、前記同心円群と縦横線群の間隔が６ｍｍのものから形成されることを特徴とする請求項１に記載の特殊折り紙用紙。
【考案の詳細な説明】
【技術分野】
【０００１】  本考案は、特殊な立体的模型を一枚の紙で折り曲げや切り込みを入れて形成出来る特殊折り紙用紙に関する。
【背景技術】
【０００２】  一枚の用紙で特殊な立体模型を作る技術は公知のものであり、これに用いられる用紙も各種のものがある。しかしながら、本考案のように極めて特殊な立体的模型を比較的簡単に、かつ正確に作り上げる単純な形態の用紙については見当らない。
本願出願人の調査によると次の「特許文献１」があるが、後に説明する本願とは相違するものである。
【先行技術文献】
【特許文献】
【０００３】
【特許文献１】実用新案登録第３０３６３９６号（図１）
【考案の概要】
【考案が解決しようとする課題】
【０００４】  前記の「特許文献１」の「実用新案登録第３０３６３９６号」の「折り紙で作られた構造物」は立体的模型を形成するものはあるが、用紙に印刷されている線群を元にして作り上げると共に折り曲げや切り込みの入れ方に特徴を有するものである。
一方、本願は放射線群，同心円群，縦横線群をベースにしてこれに従って折り曲げ、切り込みを入れるものであり、基本的な構造において従来のものと相違するものである。【０００５】  本願の考案は以上の事情に艦みて創案されたものであり、用紙に印刷されている線群を基にして特殊な、かつ複雑な立体的模型を作る特殊折り紙用紙を提供することを目的とする。
【課題を解決するための手段】
【０００６】  本考案は、以上の目的を達成するために、請求項１の考案は、立体的模型を紙により形成するために使用する特殊な折り紙用用紙であって、該用紙は、一枚の紙の表裏に全く同一の図形を背中合わせの同一位置に形成するものからなり、前記図形は、中心点より放射状に全周に対して広がる放射線群と、前記中心点を中心として同一間隔で広がる同心円群と、前記中心点を縦横に直角に通る線と夫々同一間隔で平行に形成される縦横線群とから形成されることを特徴とする。【０００７】  また、請求項２の考案は、前記用紙の材質は任意のものでよく、その１つとしてセラミック用紙が使用されることを特徴とする。【０００８】  また、請求項３の考案は、前記放射線群は３６等分のものからなり、前記同心円群と縦横線群の間隔が６ｍｍのものから形成されることを特徴とする。
【考案の効果】
【０００９】  本考案の請求項１の特殊折り紙用紙によれば、特殊な立体的模型を各種の線群を組み合わせ、これ等に従って折り曲げ、切り込みを入れることにより今までにない特殊な立体的模型を作成することが出来る。【００１０】  また、本考案の請求項２の特殊折り紙用紙によれば、使用する用紙の材質は何でもよいがセラミック用紙を用いることにより、比較的頑強な立体的模型を作ることが出来る。【００１１】  また、請求項３の特殊折り紙用紙によれば、用紙の各線群の一例が明示され、早速の実施が可能となる。
【図面の簡単な説明】
【００１２】
【図１】本考案に使用される用紙を示す平面図。
【図２】用紙の詳細構造を説明するための平面図。
【図３】本考案の用紙を用いて作成された立体的模型の一実施例を示す斜視図。
【考案を実施するための形態】
【００１３】  以上、本考案の特殊折り紙用紙の実施の形態を図面を参照して詳述する。
【実施例】
【００１４】  図１に本考案の１つの実施例である特殊折り紙用紙１００を示す。
中心点０を中心として３つの群が形成されている即ち、放射線群１と同心円群２と縦横線群３が夫々等間隔に形成されている。【００１５】  放射線群１は中心点０から放射線状に広がる群図であり、本実施例では３６等分（間隔１０°）で形成されているがこれに限定するものではない。【００１６】  同心円群２は図示のように中心点０を中心とした円心円であり、本実施例では６ｍｍの間隔で形成されているがこれに限定するものではない。【００１７】  縦横線群３は中心点０を通る縦線及び横線を基にして等間隔で縦方向及び横方向に平行に広がる群図からなる。なお、本実施例では線間の間隔は６ｍｍのものからなるがこれに限定するものではない。【００１８】  本考案では、以上の放射線群１と同心円群２と縦横線群の３つの群図からなるが、その群図は一枚の紙の表裏に同一のものが形成されている点に特徴を有する。
また、その群図も全く同一位置に重なり合って形成されている。【００１９】  以上の特殊折り紙用紙１００を用いて立体的模型を作り上げる方法については１つのノウハウであり、教室を開いて指導しているものからなり、ここでは開示しない。
図３はその一例の錐形立体的模型２００を示したものであり、線群に沿って折り曲げ又は切り込みを入れることにより複雑な立体的模型が形成されている。【００２０】  本考案は、以上の内容のものからなるが、本考案はこの内容に限定するものではなく、同一技術的範囲のものが適用されることは勿論である。
【産業上の利用可能性】
【００２１】  本考案は、色々な多種類の立体的模型を作ることが出来、タイヤも作成可能であり、その利用範囲は極めて広い。
【符号の説明】
【００２２】１      放射線群
２      同心円群
３      縦横線群
１００  特殊折り紙用紙
２００  錐形立体的模型
【図１】
0003193913.tif 000003
0003193913.tif 000004
【図２】
0003193913.tif 000005
【図３】
0003193913.tif 000006
【手続補正書】
【提出日】平成26年8月18日(2014.8.18)
【手続補正１】
【補正対象書類名】実用新案登録請求の範囲
【補正対象項目名】全文
【補正方法】変更
【補正の内容】
【実用新案登録請求の範囲】
【請求項１】
立体的模型を紙により形成するために使用する特殊な折り紙用用紙であって、該用紙は、一枚の紙の表裏に全く同一の図形を背中合わせの同一位置に形成するものからなり、前記図形は、中心点より放射状に全周に対して広がる放射線群と、前記中心点を中心として同一間隔で広がる同心円群と、前記中心点を縦横に直角に通る線と夫々同一間隔で平行に形成される縦横線群とから形成されることを特徴とする特殊折り紙用紙。
【請求項２】
前記用紙に使用される素材は、和紙，洋紙，方眼紙，紙状の食パン，布，セラミック用紙であることを特徴とする請求項１に記載の特殊折り紙用紙。
【手続補正２】
【補正対象書類名】図面
【補正対象項目名】図１
【補正方法】変更
【補正の内容】
【図１】
0003193913.tif 000007
【手続補正３】
【補正対象書類名】図面
【補正対象項目名】図２
【補正方法】変更
【補正の内容】
【図２】
0003193913.tif 000008
【手続補正４】
【補正対象書類名】図面
【補正対象項目名】図３
【補正方法】変更
【補正の内容】
【図３】
0003193913.tif 000009
【手続補正５】
【補正対象書類名】図面
【補正対象項目名】図４
【補正方法】追加
【補正の内容】
【図４】
0003193913.tif 000010
【手続補正６】
【補正対象書類名】明細書
【補正対象項目名】０００７
【補正方法】変更
【補正の内容】
【０００７】  前記用紙に使用される素材は、和紙，洋紙，方眼紙，紙状の食パン，布，セラミック用紙であることを特徴とする。
【手続補正７】
【補正対象書類名】明細書
【補正対象項目名】０００８
【補正方法】削除
【補正の内容】
【手続補正８】
【補正対象書類名】明細書
【補正対象項目名】００１０
【補正方法】変更
【補正の内容】
【００１０】  また、本考案の請求項２の特殊折り紙用紙によれば、その素材として、和紙，洋紙，方眼紙，紙状の食パン，布，セラミック用紙が使用され、これ等の素材を用いることにより頑強で特徴のある立体的模型を作ることが出来る。
【手続補正９】
【補正対象書類名】明細書
【補正対象項目名】００１１
【補正方法】変更
【補正の内容】
【００１１】  この折り紙用紙は、例えば図１や図２（図２は図１と同じ）の如きもので等間隔の縦横線群や同心円や放射線群からなり、この線群を用いて折り曲げ各種の形態の立体的模型を作ることが出来る。
【手続補正１０】
【補正対象書類名】明細書
【補正対象項目名】００１２
【補正方法】変更
【補正の内容】
【００１２】
【図１】本考案に使用される用紙を示す平面図。
【図２】本考案に使用される用紙を示す平面図であり図１と同一のものからなる。
【図３】用紙の詳細構造を説明するための模式的平面図であり、図２は図１と同一のものからなり、両者は表裏と重合して形成される。
【図４】本考案の用紙を用いて作成された立体的模型の一実施例を示す斜視図。
【手続補正１１】
【補正対象書類名】明細書
【補正対象項目名】００１４
【補正方法】変更
【補正の内容】
【００１４】  図１及び図２は本考案の１つの実施例である特殊折り紙用紙１００を示す。
【手続補正１２】
【補正対象書類名】明細書
【補正対象項目名】００１９
【補正方法】変更
【補正の内容】
【００１９】  以上の特殊折り紙用紙１００を用いて立体的模型を作り上げる方法は１つのノウハウであり、教室を開いて指導しているものからなり、ここでは開示しない。図４はその一例の錐形立体的模型２００を示したものであり、線群に沿って折り曲げ又は切り込みを入れることにより複雑な立体的模型が形成される。